(57)【要約】【課題】壁体の高さにかかわらず、簡易な構成により壁面全体を均一に湿潤化させることを可能とした保水性壁体を提案する。【解決手段】上下に並設された複数の保水性の板材３と、複数の板材３を支持する壁本体２と、複数の板材３に上方から水を供給する上給水手段４と、複数の板材３に下方から水を供給する下給水手段５とを備える保水性壁体１であって、最下段に配設された板材３である下端板材３０の下部が下給水手段５に挿入されている。【選択図】図１
2015074900.tif 000002
【特許請求の範囲】
【請求項１】
上下に並設された複数の保水体と、
前記複数の保水体に上方から水を供給する上給水手段と、
前記複数の保水体に下方から水を供給する下給水手段と、を備える保水性壁体であって、
最下段に配設された前記保水体である下端保水体の下部が前記下給水手段に挿入あるいは接していることを特徴とする、保水性壁体。
【請求項２】
前記下給水手段が、貯水槽であることを特徴とする、請求項１に記載の保水性壁体。
【請求項３】
前記保水体が、上下に隣接する他の前記保水体と隙間をあけて配設されており、
少なくとも前記下端保水体と、前記下端保水体の上側に隣接する前記保水体との隙間に、保水性の隙間材が介設されていることを特徴とする、請求項１または請求項２に記載の保水性壁体。
【発明の詳細な説明】
【技術分野】
【０００１】
本発明は、暑熱緩和に寄与する保水性壁体に関する。
【背景技術】
【０００２】
近年、都市部におけるヒートアイランド現象が社会問題となっている。
ヒートアイランド現象の原因の一つとして、建物の外壁や道路の舗装等による日射熱の蓄熱作用が挙げられている。
【０００３】
このようなヒートアイランド現象の対策工として、複数の保水性建材を並設することにより建物の外壁を形成し、この外壁の最上部から保水性建材に水を供給する場合がある。この対策工では、保水性建材に供給された水分の気化熱により外壁の表面温度を低下させる。
【０００４】
ところが、外壁が高い場合には、外壁の下側に配設された保水性建材に最上部から供給された水分が供給されずに、外壁の湿潤化にバラツキが生じる場合がある。外壁の湿潤化にバラツキがあると、表面温度の冷却化が不十分になるおそれがある。一方、外壁の湿潤化にバラツキが生じないように、水分の供給量を増加させると、余剰水が多量に発生してしまう。
【０００５】
そのため、特許文献１には、複数の多孔質セラミックス版を保持する格子状のフレームと、水を通水する給水管と、多孔質セラミックス版の背面に配設されているとともに両端が給水管に接続された蛇行状の毛細針金とを備える保水性の外壁であって、毛細針金が毛細管現象を引き起こし、多孔質セラミックスの全体に水を吸収させる保水性の外壁が開示されている。
【先行技術文献】
【特許文献】
【０００６】
【特許文献１】特開２００４−３６０３４９号公報
【発明の概要】
【発明が解決しようとする課題】
【０００７】
特許文献１の外壁は、給水管をフレームに沿って配管するとともに、フレームを貫通するように毛細針金を配設する必要があり、構築時に手間がかかる。
また、多方向に張り巡らされた毛細針金や給水管のメンテナンスに手間がかかる。
【０００８】
このような観点から、本発明は、壁体の高さにかかわらず、簡易な構成により壁面全体を均一に湿潤化させることを可能とした保水性壁体を提案することを課題とする。
【課題を解決するための手段】
【０００９】
前記課題を解決するために、本発明は、上下に並設された複数の保水体と、前記複数の保水体に上方から水を供給する上給水手段と、前記複数の保水体に下方から水を供給する下給水手段とを備える保水性壁体であって、最下段に配設された前記保水体である下端保水体の下部が前記下給水手段に挿入あるいは接していることを特徴としている。
【００１０】
かかる保水性壁体によれば、上下に並設された複数の保水体に対して、上下から水を供給するため、壁体の高さにかかわらず、壁面全体を湿潤化できる。そのため、冷却効果が優れている。
また、上下から水を供給することで、湿潤化に必要な給水量の制御が容易である。
【００１１】
保水性壁体の上部に配設された保水体は、上給水手段から供給された水分が流下することにより湿潤化する。一方、保水性壁体の下部に配設された保水体は、下給水手段から毛細管現象により水分を吸い上げることで湿潤化する。
なお、上方から供給した水分の余剰水が、下給水手段まで流下した場合であっても、下方から供給する水分として再利用することで、有効に活用できる。
【００１２】
前記下給水手段が貯水槽であれば、水の有無を確認しやすいとともに、下端保水体による水分の吸い上げが効率的に行われる。
【００１３】
前記保水体が上下に隣接する他の前記保水体と隙間をあけて配設されている場合であっても、上下に隣接する保水体同士の隙間に保水性の隙間材が介設されていれば、毛細管現象により上下の保水体間で水分が移動するため、壁体全体を均一に湿潤化することが可能となる。
【発明の効果】
【００１４】
本発明の保水性壁体によれば、壁体の高さにかかわらず、壁面全体を均一に湿潤化することが可能となる。
【図面の簡単な説明】
【００１５】
【図１】（ａ）は本実施形態の保水性壁体を示す立面図、（ｂ）は（ａ）のＡ−Ａ断面図である。
【発明を実施するための形態】
【００１６】
本実施形態の保水性壁体１は、図１に示すように、壁本体２と、板材（保水体）３と、上給水手段４と、下給水手段５とを備えている。
【００１７】
壁本体２は、垂直に立設された板状部材であって、複数の板材３を支持している。
なお、壁本体２の構成は、複数の板材３を支持することができれば限定されるものではなく、例えば、枠状（格子状）に形成されていてもよい。また、壁本体２は、必ずしも垂直である必要はなく、傾斜していてもよい。また、壁本体２の材質も限定されない。
【００１８】
壁本体２には、板材３の配置に対応して、複数の貫通孔２ａが形成されている。本実施形態では、１枚の板材３に対して貫通孔２ａが２カ所ずつ形成されている。
なお、貫通孔２ａは板材３の固定方法（取付治具８の構成）に応じて形成すればよく、省略してもよい。また、貫通孔２ａの配置や数も限定されない。
【００１９】
本実施形態の壁本体２は、上端および左右端（図１の（ａ）では左端のみ表示）が枠体６に固定されている。本実施形態では、取付部材７を介して壁本体２を枠体６に固定している。なお、枠体６は必要に応じて配設すればよい。また、壁本体２の枠体６への固定方法は限定されない。
【００２０】
壁本体２の表面には、複数の板材３が上下左右に並設されている。
本実施形態では、上下に６枚の板材３を並設しているが、板材３の段数は限定されない。また、板材３の横方向に並設する列数も限定されない。さらに、板材３は千鳥状に配設してもよい。
【００２１】
板材３は、多孔質材料により構成された保水性を有する部材（保水体）である。本実施形態の板材３は、横長の長方形を呈しているが、板材３の形状は限定されない。
なお、板材３を構成する材料は限定されないが、本実施形態では、連続空隙の多孔質建材を採用する。例えば、セラミックスやレンガを採用する。
【００２２】
板材３には、壁本体２の貫通孔２ａの位置に対応して、貫通孔３ａが２カ所ずつ形成されている。
板材３は、貫通孔２ａ，３ａに挿通される取付治具８を介して壁本体２に固定されている。本実施形態では、取付治具８として、ボルトと、これに締着されるナットを採用するが、取付治具８の構成は限定されない。
【００２３】
板材３を壁本体２に固定する場合には、ボルトの軸部を板材３の貫通孔３ａと壁本体２の貫通孔２ａに挿通した状態で、ナットを締め付ければよい。
本実施形態では、１枚の板材３に対して、２つの取付治具８により固定しているが、板材３の固定点数は限定されない。
【００２４】
板材３は、上下左右に隣接する他の板材３と隙間をあけて配設されている。
壁本体２の下部に配設された上下の板材３の隙間には、隙間材９が介設（充填）されている。本実施形態では、壁本体２の高さ方向中央よりも下側の板材３同士の隙間に隙間材９を介設する。つまり、下から１段目（最下段）の板材３（下端板材３０）と下から２段目の板材３との隙間および下から２段目の板材３と下から３段目の板材３との隙間に隙間材９を介設する。なお、隙間材９の設置個所（段数）は限定されない。
【００２５】
隙間材９は、多孔質材料により構成された保水性を有する部材である。本実施形態では、隙間材９を板材３と同じ材料（セラミックス等）により形成する。なお、隙間材９を構成する材料は、必ずしも板材３と同じ材料である必要はない。
【００２６】
上給水手段４は、最上段に配設された板材３の上方に配設されている。
本実施形態の上給水手段４は、通水が可能な樋（水路）により構成されており、壁本体２の表面に取り付けられている。なお、上給水手段４は、例えば有孔管により形成してもよく、樋に限定されない。
【００２７】
上給水手段４には、板材３に対応する位置（板材３の真上）において底面に貫通孔（図示せず）が形成されている。上給水手段４を流れる水Ｗは、貫通孔から滴下（落下）して板材３に供給される。
なお、貫通孔の配置や形状は限定されるものではないが、本実施形態では、板材３に水滴として水Ｗを供給する大きさとする。
【００２８】
下給水手段５は、壁本体２の下端に配設されている。本実施形態の下給水手段５は、内部に水Ｗが貯留された、いわゆる貯水槽である。なお、下給水手段５は、板材３への水の供給が可能な保水性の部材であれば必ずしも貯水槽である必要はない。
【００２９】
下給水手段５は、壁本体２の下端部を内部に収納した状態で壁本体２を支持している。本実施形態では、下給水手段５が壁本体２の下枠を兼ねていて、壁本体２の下端は下給水手段５の底面に接した状態で下供給手段５に固定されている。
また、下給水手段５は、最下段（下から１段目）に配設された板材３（下端板材３０）の下部も内部に収納している。
【００３０】
下端板材（下端保水体）３０は、その下端が下給水手段５内の水面よりも低くなるように、配設されている。
なお、下端板材３０は、下給水手段５の水Ｗに接することが可能であれば、必ずしも下給水手段５に挿入されている必要はない。
【００３１】
本実施形態の保水性壁体１によれば、上給水手段４および下給水手段５により、複数の板材３に上下から水が供給されるため、保水性壁体１に対して全体的に水が供給される。
【００３２】
したがって、保水性壁体１の壁高が大きい場合であっても、壁全体を均一に湿潤化させることが可能となる。
保水性壁体１に均一な湿潤面を形成すれば、効率的な冷却効果を期待することができる。
【００３３】
例えば、１０ｍ×１０ｍの保水性壁体１を形成した場合において、本実施形態の保水性壁体１の構造により壁全体を湿潤化した場合と、従来の上からのみの給水のために下半分の湿潤化ができない場合とを比較すると、本実施形態の保水性壁体１によれば平均放射温度の低減効果が従来の保水性壁体の２倍となり、体感温度を１〜２℃程度低下させ、壁近傍の暑熱緩和の向上が期待できる。
【００３４】
保水性壁体１の上部に配設された板材３は、上給水手段４の底面の貫通孔から点滴給水された水Ｗを保水することで湿潤状態を維持する。上給水手段４から供給された水Ｗは、最上段の板材３に保水されつつ流下して、下方の板材３へ供給される。
【００３５】
保水性壁体１の下部に配設された板材３は、下給水手段５に貯留された水Ｗを、毛細管現象を利用して吸い上げることで保水する。上下に隣接する板材３同士は、隙間材９を介して連続しているため、最下段の板材３により給水された水Ｗは、上方へと吸い上げられる。
【００３６】
つまり、本実施形態の保水性壁体１によれば、上給水手段４のみでは水Ｗが行き渡らない下部の板材３に対しても、下給水手段５から水Ｗを供給することで、壁全体の湿潤化を可能としている。
【００３７】
また、下給水手段５を利用して下方から水を供給するため、上給水手段４を介して上方から供給する水の量を制御することもできる。
また、上給水手段４から供給された水の量が多い場合であっても、余剰水は下給水手段５（貯水槽）に貯留され、下方から供給される水分として再利用することができる。
【００３８】
以上、本発明に係る実施形態について説明した。しかし、本発明は、前述の実施形態に限られず、前記の各構成要素については、本発明の趣旨を逸脱しない範囲で、適宜変更が可能である。
例えば、保水性壁体１の設置個所は限定されるものではなく、例えば、建物等の外壁として使用してもよいし、道路等の境界壁として使用してもよい。
【００３９】
また、前記実施形態では、保水体として、保水性を有する板材３を採用したが、保水体は板材３に限定されるものではなく、例えば、多孔質ブロックであってもよい。なお、保水体として多孔質ブロックを採用する場合には、多孔質ブロックを積層することにより保水性壁体１を形成してもよい。
【００４０】
前記実施形態では、壁本体２により保水体（板材３）を支持するものとしたが、保水体のみで自立が可能であれば、壁本体２は省略してもよい。
【００４１】
また、前記実施形態では、壁本体２の上端部（最上段の板材３の上）のみに上給水手段４を配設する場合について説明したが、例えば、壁本体２の上部に配設された板材３同士の間にも配設する等、上給水手段４は複数段配設してもよい。
【００４２】
また、前記実施形態では、上下に隣接する板材３同士の間に隙間材９を介設する場合について説明したが、隙間材９は、左右に隣接する板材３同士の隙間に介設してもよい。
また、隙間材９は、保水性壁体１の下部の板材３同士の間のみではなく、全ての板材３同士の間に介設してもよい。
【００４３】
また、前記実施形態では、板材３を隣接する他の板材３と隙間をあけて配設する場合について説明したが、隣り合う板材３同士は互いに接していてもよい。
【００４４】
上給水手段４および下給水手段５の水Ｗは、水道水であってもよいし、雨水や河川等から採取した水であってもよい。
また、上給水手段および下給水手段への水の供給方法は限定されるものではなく、適宜構成すればよい。
【００４５】
前記実施形態では、全ての板材（保水体）３について同じ材料を採用したが、板材３は、必ずしも全てが同じ材料である必要はない。例えば、壁本体２の下部に配設される板材３に比べて、上部に配設される板材３は、細孔が粗いものであってもよい。なお、保水体は、内部に介在する空隙が物理的に繋がった連続空隙のものであることが望ましい。
【符号の説明】
【００４６】
１    保水性壁体
３    板材（保水体）
３０  下端板材（下端保水体）
４    上給水手段
５    下給水手段
９    隙間材
Ｗ    水
【図１】
2015074900.tif 000003